(57)【特許請求の範囲】
【請求項１】
基材の少なくとも一部に凹凸形状の万線及び有色の万線から成る複数の画像を有する潜像画像形成領域を備え、
前記潜像画像形成領域には、第１の方向に万線状に形成された凸形状の第１の要素と、前記複数の第１の要素の各要素間に、前記第１の要素と透過率が異なる底部と、更に前記底部に形成された前記底部と透過率が異なる第２の要素と、前記第１の要素の凸形状の両側部に、有色の色材で形成された第３の要素を有し、
前記第１の要素の一方の側部に配置された前記第３の要素は、前記第１の要素とは異なる第１の色の第１の画像要素と、前記第１の要素及び前記第１の色とは異なる第２の色の第１の背景要素とに区分けされて配置され、
前記第１の要素の他方の側部に配置された前記第３の要素は、前記第２の色の第２の画像要素と、前記第１の色の第２の背景要素とに区分けされて配置され、
前記一方の側部の前記第３の要素が複数配置されたことにより、第１の潜像画像が形成され、
前記他方の側部の前記第３の要素が複数配置されたことにより、第２の潜像画像が形成され、
前記第１の要素と透過率が異なる複数の前記第２の要素により、すかし模様である第３の潜像画像が形成され、
前記基材に対して真上となる第１の観察角度から観察すると、複数の第３の要素から成る可視画像が視認され、前記基材を傾けた第２の観察角度から観察すると、前記第１の潜像画像が視認され、前記第２の観察角度とは反対側へ前記基材を傾けた第３の観察角度から観察すると、前記第２の潜像画像が視認され、前記基材を透過光下で観察すると、前記第３の潜像画像が視認されることを特徴とする特殊潜像画像形成体。
【請求項２】
前記第１の要素は、第１のピッチで複数配置されたことを特徴とする請求項１記載の特殊潜像画像形成体。
【請求項３】
前記複数配置された第２の要素のうち、少なくとも一つの第２の要素は、深さ及び／又は幅が他の第２の要素と異なり、
前記深さ及び／又は幅が異なる第２の要素と前記他の第２の要素との透過率の差により、階調を有する前記第３の潜像画像が形成されたことを特徴とする請求項１又は２記載の特殊潜像画像形成体。
【請求項４】
前記複数配置された第２の要素のうち、少なくとも一つの第２の要素内において、深さ及び／又は幅が異なることを特徴とする請求項１又は２記載の特殊潜像画像形成体。
【請求項５】
前記少なくとも一つの第２の要素内において、透過率が二箇所以上異なることで、深さ及び／又は幅を異ならせたことによる、階調を有するすかし模様である前記第３の潜像画像が形成されたことを特徴とする請求項４記載の特殊潜像画像形成体。
【請求項６】
前記複数配置された第１の要素のうち、少なくとも一つの第１の要素は、他の第１の要素と透過率を異ならせるために、高さ及び／又は幅が異なり、
前記第２の要素と、前記高さ及び／又は幅が異なる第１の要素により前記第３の潜像画像が形成されたことを特徴とする請求項１乃至５のいずれか一項記載の特殊潜像画像形成体。
【請求項７】
前記複数配置された第１の要素のうち、少なくとも一つの第１の要素内において、高さ及び／又は幅が異なることを特徴とする請求項６記載の特殊潜像画像形成体。
【請求項８】
前記少なくとも一つの第１の要素内において、透過率が二箇所以上異なることで、高さ及び／又は幅を異なることによる、階調を有するすかし模様である前記第３の潜像画像が形成されたことを特徴とする請求項７記載の特殊潜像画像形成体。
【発明の詳細な説明】
【技術分野】
【０００１】
本発明は、銀行券、旅券、有価証券等の貴重印刷物に偽造や複製の防止用として施す、特殊潜像画像形成体に関するものである。
【背景技術】
【０００２】
銀行券、旅券、有価証券等の貴重印刷物は、その性質上偽造や複製がされにくいことが要求される。この対策として貴重印刷物上に微細画線を印刷したものや、紙層の厚薄によるすき入れを施したものなどが公知である。
【０００３】
特許文献１には、連続階調を有するすかし模様が開示されている。厚みが段階的に変化した模様型を、公知の抄紙機におけるすき入れ網上に配置したのち、すき入れ紙を形成することで、連続的に厚みが変化したすかし模様を形成することが可能となる。作製したすき入れ紙を透過光下で観察した場合には、連続階調を有するすかし模様が視認される。
【０００４】
また、本出願人が先に出願した特許文献２には、すき入れによる凸状万線と微細画線を組み合わせることで形成された印刷物が開示されている。印刷物は、基材上に凸状万線を付与し、凸状万線の両側部に各々第１の潜像画像又は第２の潜像画像を形成する微細画線を付与することで、三つの潜像画像が形成される。作製した印刷物は、基材を傾けると一方の側部に付与した微細画線から成る第１の潜像画像が視認され、基材を反対方向に傾けると他方の側部に付与した微細画線から成る第２の潜像画像が視認され、基材を正面から観察した場合は両側部に付与した微細画線から成る第１の潜像画像と第２の潜像画像の合成模様である第３の潜像画像が視認可能となる。
【先行技術文献】
【特許文献】
【０００５】
【特許文献１】特許第３１９８４８８号
【特許文献２】特開２０１２−００６１６８号
【発明の概要】
【発明が解決しようとする課題】
【０００６】
特許文献１に開示されたすき入れ紙は、抄紙機及び特殊な模様型を用いて作製していることから、簡易に作製しづらく偽造防止効果は極めて高い。しかしながら、すかし模様は、紙の厚みにより形成されていることから、基本的には透過光下で視認できるものだが、実際のところ反射光下においても、その存在は認識されてしまう。
【０００７】
また、特許文献２においては、基材を傾けた際に微細画線が凸状万線の陰になることで複数の潜像画像が出現する。しかしながら、貴重印刷物が市場に流通される過程において凸状万線が摩耗していくことで、傾けて観察した際に微細画線が凸状万線の影とならずに、潜像画像の視認性が低下するという問題がある。よって、同一領域内に、別の方法で判別可能となる偽造防止技術が付与された印刷物が求められている。
【０００８】
そこで、本発明の目的は、反射光下の観察時においてすかし模様の隠蔽性があり、かつ、基材上の同一領域内に、複数の判別方法により視認可能な潜像画像が付与された印刷物を提供することにある。
【課題を解決するための手段】
【０００９】
前述の目的を達成するために、請求項１記載の発明は、基材の少なくとも一部に凹凸形状の万線及び有色の万線から成る複数の画像を有する潜像画像形成領域を備え、潜像画像形成領域には、第１の方向に万線状に形成された凸形状の第１の要素と、複数の第１の要素の各要素間に、基材と透過率が異なる第２の要素と、第１の要素の凸形状の両側部に、有色の色材で形成された第３の要素を有し、第１の要素の一方の側部に配置された第３の要素は、第１の要素とは異なる第１の色の第１の画像要素と、第１の要素及び第１の色とは異なる第２の色の第１の背景要素とに区分けされて配置され、第１の要素の他方の側部に配置された第３の要素は、第２の色の第２の画像要素と、第１の色の第２の背景要素とに区分けされて配置され、一方の側部の第３の要素が複数配置されたことにより、第１の潜像画像が形成され、他方の側部の第３の要素が複数配置されたことにより、第２の潜像画像が形成され、基材と透過率が異なる複数の第２の要素により、すかし模様である第３の潜像画像が形成され、基材に対して真上となる第１の観察角度から観察すると、複数の第３の要素から成る可視画像が視認され、基材を傾けた第２の観察角度から観察すると、第１の潜像画像が視認され、第２の観察角度とは反対側へ基材を傾けた第３の観察角度から観察すると、第２の潜像画像が視認され、基材を透過光下で観察すると、第３の潜像画像が視認されることを特徴とする特殊潜像画像形成体である。
【００１０】
また、請求項２記載の発明は、請求項１記載の特殊潜像画像形成体において、第１の要素は、第１のピッチで複数配置されることを特徴とする。
【００１１】
また、請求項３記載の発明は、請求項１又は２記載の特殊潜像画像形成体において、複数配置された第２の要素のうち、少なくとも一つの第２の要素は、深さ及び／又は幅が他の第２の要素と異なり、深さ及び／又は幅が異なる第２の要素と他の第２の要素との透過率の差により、階調を有する第３の潜像画像が形成されたことを特徴とする。
【００１２】
また、請求項４記載の発明は、請求項１又は２記載の特殊潜像画像形成体において、複数配置された第２の要素のうち、少なくとも一つの第２の要素内において、深さ及び／又は幅が異なることを特徴とする。
【００１３】
また、請求項５記載の発明は、請求項４記載の特殊潜像画像形成体において、少なくとも一つの第２の要素内において、透過率が二箇所以上異なることで、深さ及び／又は幅を異ならせたことによる、階調を有するすかし模様である第３の潜像画像が形成されたことを特徴とする。
【００１４】
また、請求項６記載の発明は、請求項１乃至５のいずれか一項記載の特殊潜像画像形成体において、複数配置された第１の要素のうち、少なくとも一つの第１の要素は、他の第１の要素と透過率を異ならせるために、高さ及び／又は幅が異なり、第２の要素と、高さ及び／又は幅が異なる第１の要素により第３の潜像画像が形成されたことを特徴とする。
【００１５】
また、請求項７記載の発明は、請求項６記載の特殊潜像画像形成体において、複数配置された第１の要素のうち、少なくとも一つの第１の要素内において、高さ及び／又は幅が異なることを特徴とする。
【００１６】
さらに、請求項８記載の発明は、請求項７記載の特殊潜像画像形成体において、少なくとも一つの第１の要素内において、透過率が二箇所以上異なることで、高さ及び／又は幅を異なることによる、階調を有するすかし模様である第３の潜像画像が形成されたことを特徴とする。
【発明の効果】
【００１７】
以上のような本発明の構成における特殊潜像画像形成体は、基材を傾けて視認可能となる潜像画像に加え、新たに透過光下で視認可能となる潜像画像が付与されている。よって、流通過程において凸状万線が摩耗した場合でも、透過光下で潜像画像の有無を観察することで、真偽判別を行うことが可能となる。また、透過光下で視認される潜像画像は、凸状万線の断面形状を一部異ならせることで形成される。よって、本発明の印刷物は、同一領域内に傾けて観察可能となる潜像画像と、透過光下で視認可能となる潜像画像を形成することが可能となる。
【００１８】
さらには、透過光下で視認される潜像画像は、凸状万線の形状を一部変形することにより形成されていることから、すかし模様が単独の形成体と比べ、反射光下におけるすかし模様の隠蔽性を向上させることが可能となる。
【図面の簡単な説明】
【００１９】
【図１】本発明にかかわる特殊潜像画像形成体（１）を示す平面図。
【図２】形成体（１）が有する複数の画像を示す平面図。
【図３】第１の要素（７）を示す平面図及び断面図。
【図４】第１の要素（７）の他の形態を示す平面図及び断面図。
【図５】複数の第１の要素（７）の一例を示す平面図。
【図６】第１の要素（７）の断面形状を示す図。
【図７】第２の要素（８ａ）を示す平面図及び断面図。
【図８】第２の要素（８ａ）を示す断面図。
【図９】第２の要素（８ａ）を示す断面図。
【図１０】第２の要素（８ａ）を示す断面図。
【図１１】第１の要素（７）を示す平面図及び断面図。
【図１２】第１ａの要素（７ａ）を示す断面図。
【図１３】第３の潜像画像（６’）を示す平面図及び断面図。
【図１４】第１の潜像画像（４）を示す平面図及び拡大図。
【図１５】第２の潜像画像（５）を示す平面図及び拡大図。
【図１６】可視画像（３）を示す平面図及び拡大図。
【図１７】要素の一例を示す図。
【図１８】基材（２）を観察した際の視点（Ｅ１、Ｅ２、Ｅ３、Ｅ４）を示す図。
【図１９】形成体（１）を、第１の観察角度（Ｅ１）から観察した際の平面図及び断面図。
【図２０】形成体（１）を、第２の観察角度（Ｅ２）から観察した際の平面図及び断面図。
【図２１】形成体（１）を、第３の観察角度（Ｅ３）から観察した際の平面図及び断面図。
【図２２】形成体（１）を、第４の観察角度（Ｅ４）から観察した際の平面図及び断面図。
【発明を実施するための形態】
【００２０】
図１は、本発明における特殊潜像画像形成体（１）（以下、「形成体」という。）が付与された偽造防止印刷物（Ｓ）（以下、「印刷物」という。）を示す平面図である。印刷物（Ｓ）は一例として、商品券としている。
【００２１】
印刷物（Ｓ）は、紙、プラスチックカード等の印刷可能な基材（２）上に、店舗名、券種等の印刷物（Ｓ）に関する情報が、シアン、マゼンタ等の一般的に用いられるインキにより付与されている。印刷物（Ｓ）は、基材（２）上における少なくとも一部に、潜像画像形成領域（Ｚ）（以下、「領域」という。）を備えている。領域（Ｚ）内には、形成体（１）が配置されており、形成体（１）は、複数の画像を有している。
【００２２】
図２は、形成体（１）が有する複数の画像を示す平面図である。形成体（１）は、図２（ａ）に示す可視画像（３）と、図２（ｂ）に示す第１の潜像画像（４）と、図２（ｃ）に示す第２の潜像画像（５）と、図２（ｄ）に示す第３の潜像画像（６）とを有する。
【００２３】
可視画像（３）は、基材（２）に対して真上から観察した場合に視認可能となる画像であり、第１の潜像画像（４）は、基材（２）を傾けて観察した場合に視認可能となる画像である。また、第２の潜像画像（５）は、基材（２）を第１の潜像画像（４）を視認する時とは反対側へ傾けて観察した場合に視認可能となる画像であり、第３の潜像画像（６）は、基材（２）を透過光下で観察した場合に視認可能となるすかし模様である。
【００２４】
形成体（１）が有する各画像（３、４、５、６）は、それぞれ印刷要素や、基材（２）に凹凸形状を付与することで形成された要素等、異なる要素により構成されている。以下、形成体（１）を構成する各要素について、詳細に説明する。
【００２５】
図３は、凸形状の要素である第１の要素（７）を示す平面図及び断面図であり、図３（ａ）は、第１の要素（７）を示す平面図である。図３（ａ）に示すように、基材（２）の少なくとも一部に備えた領域（Ｚ）内に、第１の要素（７）が複数形成されている。
【００２６】
図３（ｂ）は、図３（ａ）のＡ−Ａ’断面図である。図３（ｂ）に示すように、凸形状の第１の要素（７）は、第１の方向（Ｘ１）に第１のピッチ（Ｐ１）で複数形成されている。複数の第１の要素（７）は、各々が第１の側部（７Ｌ）、第２の側部（７Ｒ）及び頂上部（７Ｔ）を有している。第１の要素（７）を配置する第１のピッチ（Ｐ１）は、印刷方式、用いる基材（２）及び後述する第１の要素（７）上に印刷する第３の要素（９）の画線幅を考慮し、４００〜１８００μｍの範囲内で適宜設定が可能である。
【００２７】
第１のピッチ（Ｐ１）が４００μｍ未満である場合には、第１の要素（７）上に第３の要素（９）を印刷する際に必要な面積が充分に得られないことにより、第３の要素（９）の画線幅が細くなり、可視画像（３）、第１の潜像画像（４）及び第２の潜像画像（５）の視認性が低下し、好ましくない。
【００２８】
反対に、第１のピッチ（Ｐ１）が８００μｍより大きい場合には、第１の要素（７）上に印刷する第３の要素（９）の一つ一つを肉眼で識別することが可能となり、各画像（３、４、５、６）を視認した場合にノイズが発生し、好ましくない。なお、図３（ａ）では、第１のピッチ（Ｐ１）を一定ピッチで図示しているが、前述した４００〜１８００μｍの範囲内であれば、一部異なるピッチとすることも可能である。
【００２９】
なお、第１の要素（７）を、全て同じ規則的なピッチである第１のピッチ（Ｐ１）で配置した場合について説明したが、複数の第１の要素（７）においては、ランダムなピッチとすることも可能である。
【００３０】
図４は、第１の要素（７）を第１の方向（Ｘ１）に配置した他の形態を示す平面図及び断面図である。図４（ａ）に示すように、第１の要素（７）は、第１の方向（Ｘ１）に、ランダムなピッチ（ＰＬ）で配置されている。図４（ｂ）は、図４（ａ）におけるＡ−Ａ’断面図である。ランダムなピッチ（ＰＬ）で配置する場合には、その一つ一つのピッチは、前述した第１のピッチ（Ｐ１）の範囲と同様に、４００〜１８００μｍの範囲内で適宜設定することが可能である。また、ピッチ（ＰＬ）を、４００〜１８００μｍの範囲内とする理由については、前述した第１のピッチ（Ｐ１）と同様であることから説明を省略する。以下、本実施の形態においては、第１の要素（７）は第１のピッチ（Ｐ１）で形成してあるとして説明する。
【００３１】
第１の要素（７）の幅（Ｗ１）は、第１のピッチ（Ｐ１）及び後述する第３の要素（９）の幅を考慮し、０．１〜１．０ｍｍの範囲内で適宜設定される。第１の要素（７）の幅（Ｗ１）を０．１ｍｍ未満とした場合、第１の要素（７）上に第３の要素（９）を印刷しづらい為、好ましくない。
【００３２】
また、第１の要素（７）の幅（Ｗ１）を１．０ｍｍより広くした場合には、印刷物（Ｓ）を傾けた際に第１の潜像画像（４）及び第２の潜像画像（５）を明瞭に視認することが困難となり好ましくない。
【００３３】
第１の要素（７）の高さ（ｈ１）は、第１のピッチ（Ｐ１）及び後述する第３の要素（９）の幅を考慮し、３０〜７０μｍの範囲内で適宜設定することが可能である。高さ（ｈ１）を３０μｍ未満とした場合、印刷物（Ｓ）を傾けた際に第１の潜像画像（４）及び第２の潜像画像（５）を明瞭に視認することが困難となり好ましくない。
【００３４】
また、第１の要素（７）の高さ（ｈ１）を７０μｍより高くした場合には、第１の要素（７）上に第３の要素（９）を印刷しづらくなり、好ましくない。
【００３５】
なお、第１の要素（７）は直線状としているが、直線状に限らず第１の要素（７）上に第３の要素（９）を印刷可能であれば波線状、破線状等とすることが可能である。
【００３６】
また、第１の要素（７）を複数集合させて形成される形状は、領域（Ｚ）内に形成可能であれば、図５に示す各種形状とすることが可能であることは、言うまでも無い。
【００３７】
さらに、第１の要素（７）の断面形状は、前述した図３のＡ−Ａ’断面図に示す形状に限らず、第１の要素（７）上に、後述する印刷要素である第３の要素（９）を形成することが可能であれば、図６に示す、各種の断面形状とすることが可能である。なお、図６は、前述した図３と同様に、基材（２）を第１の方向（Ｘ１）に対して平行に切断した断面図である。
【００３８】
次に、形成体（１）を構成する要素の一つである、第２の要素（８ａ）について説明する。図７は、第２の要素（８ａ）を示す平面図及び断面図であり、図７（ａ）は、第２の要素（８ａ）を示す平面図である。図７（ａ）に示すように、第２の要素（８ａ）は、複数の第１の要素（７）の各要素間に形成されている。
【００３９】
図７（ｂ）は、図７（ａ）におけるＢ−Ｂ’断面図である。本発明における第２の要素（８ａ）とは、二つの隣り合う第１の要素（７）間に形成された、基材（２）よりも透過率の高い領域のことである。第２の要素（８ａ）の幅（Ｗ２）は、前述した第１の要素（７）を配置した第１のピッチ（Ｐ１）及び後述する第３の要素（９）の幅を考慮し、２００μｍ〜８００μｍの範囲で適宜設定することが可能である。幅（Ｗ２）を２００μｍ未満とした場合には、第１の要素（７）上に第３の要素（９）を印刷しづらくなり、好ましくない。
【００４０】
また、第２の要素（８ａ）の幅（Ｗ２）を８００μｍ以上とした場合には、印刷物（Ｓ）を傾けた際に第１の潜像画像（４）及び第２の潜像画像（５）を明瞭に視認することが困難となり、好ましくない。
【００４１】
前述のとおり、本発明の形成体（１）は、基材（２）を傾けて視認可能となる各潜像画像（４、５）に加え、新たに透過光下で視認可能となる第３の潜像画像（６）が付与されている。前述した第１の要素（７）及び第２の要素（８ａ）は、断面形状を一部異ならせることで、基材（２）との透過率が変化する。よって、一部断面形状が異なる第１の要素（７）及び／又は第２の要素（８ａ）を複数配置することで、透過光下で視認可能となるすかし模様である第３の潜像画像（６）を形成体（１）に付与することが可能となる。
【００４２】
まず、第２の要素（８ａ）について説明する。なお、一部断面形状が異なる第１の要素（７）については、後述する。図７（ａ）に示すように、基材（２）上に、「ＮＰＢ」の文字形状の第３の潜像画像（６）が形成されている。図７（ａ）の拡大図に示すように、第２の要素（８ａ）は、複数の第１の要素（７）間に配置されている。
【００４３】
図７（ｂ）は、図７（ａ）におけるＢ−Ｂ’断面図である。基材（２）の一部である底部（８ｂ）は、全て断面形状が同一形状であるが、第２の要素（８ａ）は、第３の潜像画像（６）に対応して、断面形状が変化する。
【００４４】
図７（ｂ）に示すように、第２の要素（８ａ）と底部（８ｂ）は、深さが異なる。なお、本発明においては、底部（８ｂ）の幅（Ｗ２）及び深さ（ｈ１）を基準とし、第２の要素（８ａ）の深さ（ｈ２）は、基準となる底部（８ｂ）の基準位置（Ｍ）からの深さとして以下説明する。第２の要素（８ａ）を底部（８ｂ）より深くすることで、第２の要素（８ａ）と底部（８ｂ）の透過率が異なり、透過光下で観察した際に、底部（８ｂ）より深い第２の要素（８ａ）が、底部（８ｂ）と比べて明るく（白く）視認される。よって、複数の第２の要素（８ａ）を第３の潜像画像（６）の形状に合わせて適宜形成することで、前述した透過光下で視認可能な第３の潜像画像（６）が形成される。
【００４５】
なお、図７（ｂ）においては、第３の潜像画像（６）を形成する第２の要素（８ａ）の深さ（ｈ２）は一定である。第２の要素（８ａ）の深さ（ｈ２）及び幅（Ｗ２）を一定とした場合には、透過光下で視認可能な第３の潜像画像（６）は、階調を有しないベタのすかし模様として視認される。第３の潜像画像（６）を形成する第２の要素（８ａ）の深さ（ｈ２）及び幅（Ｗ２）を変化させた場合には、透過光下で視認可能な第３の潜像画像（６）は、階調を有するすかし模様として視認されるが、それについては後述する。
【００４６】
第２の要素（８ａ）の深さ（ｈ２）は、３０μｍ〜７０μｍとする。３０μｍ以下とした場合は、底部（８ｂ）との透過率があまり変わらず、透過光下において第３の潜像画像（６）が不鮮明に視認されることから好ましくない。
【００４７】
７０μｍ以上とした場合は、第１の要素（７）上に印刷画線である第３の要素（９）を印刷しづらくなり、好ましくない。さらには、第２の要素（８ａ）が薄くなることで印刷物（Ｓ）の耐久性が低下し、好ましくない。
【００４８】
前述した図７においては、第２の要素（８ａ）及び底部（８ｂ）は、幅（Ｗ２）が一定だが、深さを変えることで、基材（２）との透過率を異ならせて、第３の潜像画像（６）を形成していた。しかしながら、基材（２）と第２の要素（８ａ）の透過率を変化させることが可能な構成であれば、図７に示した断面形状に限らず、他の断面形状とすることも可能である。
【００４９】
図８は、第３の潜像画像（６）を形成する第２の要素（８ａ）の他の断面形状を説明する図である。図８（ａ）、図８（ｂ）、図８（ｃ）及び図８（ｄ）は、前述した図７（ｂ）の断面図と同様に基材（２）を第１の方向（Ｘ１）に対して平行に切断した断面図である。前述した第２の要素（８ａ）の深さを底部（８ｂ）より深くする断面形状に限らず、各種形状とすることが可能である。
【００５０】
図８（ａ）、図８（ｂ）、図８（ｃ）及び図８（ｄ）に示すように、第２の要素（８ａ）の幅（Ｗ２）を、底部（８ｂ）と比べて狭く又は広くしたり、また、第２の要素（８ａ）の深さ（ｈ２）を底部（８ｂ）と比べて深く又は浅くすることで、第２の要素（８ａ）と底部（８ｂ）の透過率を変化させることが可能である。いずれの形状においても、第２の要素（８ａ）は、底部（８ｂ）と比べ、透過率が高い場合に底部（８ｂ）より明るく視認され、反対に透過率が低い場合に底部（８ｂ）より暗く視認される。
【００５１】
なお、図８においては、幅（Ｗ２）及び深さ（ｈ２）をいずれも変化させることで、第２の要素（８ａ）を形成しているが、幅（Ｗ２）及び深さ（ｈ２）のどちらか一方のみを変化させた場合でも、透過率の変化があることから、第３の潜像画像（６）を形成することは可能である。
【００５２】
さらには、一つの第２の要素（８ａ）内において、幅及び深さを異ならせることも可能である。図９（ａ）は、第２の要素（８ａ）の他の断面形状を説明する図であり、図９（ｂ）及び図９（ｃ）は、図９（ａ）におけるＡ−Ａ’断面図及びＢ−Ｂ’断面図である。図９（ｂ）及び図９（ｃ）に示すように、一つの第２の要素（８ａ）内において、幅及び深さを変化させることで、Ａ−Ａ’断面位置における第２の要素（８ａ）と、Ｂ−Ｂ’断面位置における第２の要素（８ａ）との透過率を変化させることも可能である。
【００５３】
さらに、他の断面形状として、一つの第２の要素（８ａ）内において、深さ（ｈ２）を変化させることも可能である。図１０（ａ）は、第２の要素（８ａ）の他の断面形状を説明する図である。図１０（ｂ）は、図１０（ａ）におけるＢ−Ｂ’断面図であり、底部（８ｂ）の断面形状を示す図である。図１０（ｂ）に示すように、底部（８ｂ）は第２の方向（Ｘ２）に対して深さが一定である。
【００５４】
図１０（ｃ）、図１０（ｄ）及び図１０（ｅ）は、図１０（ａ）におけるＣ−Ｃ’断面図である。図１０（ｃ）、図１０（ｄ）及び図１０（ｅ）に示すように、第２の要素（８ａ）は、第２の方向（Ｘ２）に深さを多段又は緩やかに変化させることで、底部（８ｂ）との透過率を変化させて形成することも可能である。
【００５５】
次に、一部断面形状が異なる第１の要素（７）について説明する。図１１は、一部断面形状が異なる第１の要素（７）を示す平面図及び断面図である。図１１（ａ）は、例として三つの第１の要素（７）が第１の方向（Ｘ１）に配置している。第１の要素（７）は、第１ａの要素（７ａ）及び／又は第１ｂの要素（７ｂ）から成る。
【００５６】
図１１（ｂ）、図１１（ｃ）及び図１１（ｄ）は、図１１（ａ）におけるＡ−Ａ’断面図である。複数の第１の要素（７）において、第１ｂの要素（７ｂ）は、全て断面形状が同一形状である。一方、第１ａの要素（７ａ）は、第３の潜像画像（６）に対応して、断面形状が変化する。以下、本実施の形態において、第１の要素（７）は、断面形状が異なる第１ａの要素（７ａ）を有していない場合には、第１ｂの要素（７ｂ）のみから形成されているとして説明する。
【００５７】
図１１（ｂ）に示すように、第１ａの要素（７ａ）と第１ｂの要素（７ｂ）は、幅（Ｗ１）が異なる。なお、本発明においては、第１ｂの要素（７ｂ）の幅（Ｗ１）及び高さ（ｈ１）を基準とし、第１ａの要素（７ａ）の高さ（ｈ１）は、基準となる第１ｂの要素（７ｂ）の基準位置（Ｍ）からの高さとして以下説明する。
【００５８】
図１１（ｂ）、図１１（ｃ）及び図１１（ｄ）に示すように、第１ａの要素（７ａ）の高さ（ｈ１）を、第１ｂの要素（７ｂ）の高さ（ｈ１）と異ならせたり、第１ａの要素（７ａ）の幅（Ｗ１）を、第１ｂの要素（７ｂ）の幅（Ｗ１）と異ならせることで、第１ａの要素（７ａ）と第１ｂの要素（７ｂ）の透過率が異なり、透過光下で観察した際に、第１ｂの要素（７ｂ）より透過率が高い場合には、第１ａの要素（７ａ）は、第１の要素（７ｂ）と比べて明るく（白く）視認される。
【００５９】
反対に、第１ｂの要素（７ｂ）より透過率が低い場合には、第１ａの要素（７ａ）は、第１ｂの要素（７ｂ）と比べて暗く（黒く）視認される。よって、複数の第１ａの要素（７ａ）を第３の潜像画像（６）の形状に合わせて適宜形成することで、前述した透過光下で視認可能な第３の潜像画像（６）が形成される。
【００６０】
さらに、他の断面形状として、一つの第１の要素（７）内において、高さ（ｈ１）を変化させることで、第１ａの要素（７ａ）を形成することも可能である。図１２は、第１ａの要素（７ａ）の他の断面形状を説明する平面図及び断面図であり、図１２（ａ）は、第１の要素（７）の平面図である。図１２（ｂ）に示す第１ｂの要素（７ｂ）は、第２の方向（Ｘ２）に対して高さが一定である。
【００６１】
図１２（ｃ）、図１２（ｄ）、図１２（ｅ）及び図１２（ｆ）は、図１２（ａ）におけるＣ−Ｃ’断面図である。図１２（ｃ）、図１２（ｄ）、図１２（ｅ）及び図１２（ｆ）に示すように、第１ａの要素（７ａ）は、第２の方向（Ｘ２）に高さを多段又は緩やかに変化させることで、第１ｂの要素（７ｂ）との透過率を変化させて形成することも可能である。
【００６２】
なお、前述した第２の要素（８ａ）と同様に、第１ａの要素（７ａ）においても、一つの第１の要素(７)内において第１ａの要素（７ａ）の幅を徐々に広く、又は、狭くした形状とすることも可能である。
【００６３】
さらには、図には示さないが、前述した形状を種々組み合わせることで、第１ａの要素（７ａ）及び第２の要素（８ａ）を構成することが可能であることは言うまでもない。また、第３の潜像画像（６）においても、前述した第１ａの要素（７ａ）及び第２の要素（８ａ）を組み合わせて形成することも可能である。
【００６４】
次に、第１の要素（７）及び第２の要素（８ａ）の形成方法について説明する。各要素（７、８ａ）は、基材（２）上に、エンボス加工、凹版印刷、スクリーン印刷、すき入れ又はレーザ加工により形成される。
【００６５】
エンボス加工による各要素（７、８ａ）の形成は、各要素（７、８ａ）の形状に合わせた凹型及び凸型を用いて、公知のエンボス加工機により形成される。
【００６６】
凹版印刷、スクリーン印刷による第１の要素（７）の形成は、基材（２）に対して公知の凹版印刷方法又は公知のスクリーン印刷方法に適した版面及びインキを用いて印刷を行うことで、インキの盛りにより形成する。第１の要素（７）を凹版印刷、スクリーン印刷及びエンボス加工により形成した場合には、形成された第１の要素（７）は、基材（２）に対して、盛りのある凸形状として形成される。それにより、第１の要素（７）の形成に伴い、隣り合う、二つの第１の要素（７）間に第２の要素（８ａ）が形成される。
【００６７】
すき入れによる各要素（７、８ａ）の形成は、基材（２）を紙とした際に、すき入れを施すことが可能な公知の抄紙機を用いて形成される。
【００６８】
レーザ加工による各要素（７、８ａ）の形成は、公知のレーザ加工装置を用いて基材（２）の一部を除去することで形成する。基材（２）に対して、第１の要素（７）の周囲をレーザ加工により除去することで形成した場合には、この除去した領域は、第１の要素（７）より薄く（凹形状）なる。よって、隣り合う二つの第１の要素（７）間に第２の要素（８ａ）が、第１の要素（７）の形成に伴い形成される。また、あらかじめ、第１の要素（７）を凹版印刷、スクリーン印刷、エンボス加工、すき入れ及びレーザ加工により形成した後に、隣り合う、二つの第１の要素（７）間をレーザ加工により除去することで、第２の要素（８ａ）を形成することも可能である。
【００６９】
なお、第３の潜像画像（６）を形成する第１ａの要素（７ａ）及び第２の要素（８ａ）においては、エンボス加工で形成することは好ましくない。基材（２）を紙とし、エンボス加工により第１ａの要素（７ａ）及び第２の要素（８ａ）を形成した場合には、第１ａの要素（７ａ）及び第２の要素（８ａ）と、基材（２）との繊維密度が同じとなり、いずれも透過率が同じとなる。よって、透過光下で観察しても第１ａの要素（７ａ）及び第２の要素（８ａ）と、基材（２）とは、明暗の差が生じず、透過光下において視認可能な第３の潜像画像（６）を形成することができなくなる。
【００７０】
しかしながら、基材（２）をプラスチックや、シート状の樹脂とした場合においては、製造工程においてエンボス加工をすることで、第１ａの要素（７ａ）及び第２の要素（８ａ）と、基材（２）との厚みが変化し、透過光下で観察した際に明暗の差が生じる。よって、第３の潜像画像（６）を形成する第１ａの要素（７ａ）及び第２の要素（８ａ）の形成方法については、用いる基材（２）により適宜設定する。
【００７１】
なお、第３の潜像画像（６）を形成する第１ａの要素（７ａ）及び／又は第２の要素（８ａ）の深さ（ｈ２）及び高さ（ｈ１）並びに幅（Ｗ１、Ｗ２）を一定とした場合、例えば、第２ａの要素（７ａ）の高さ（ｈ１）を全て同じ高さで形成した場合には、第１ａの要素（７ａ）の透過率は全て同じとなる。よって、透過光下で視認可能な第３の潜像画像（６）は、階調を有しないベタ画像として視認される。
【００７２】
一方、第３の潜像画像（６）を形成する第１ａの要素（７ａ）及び／又は第２の要素（８ａ）の深さ（ｈ２）及び高さ（ｈ１）並びに幅（Ｗ１、Ｗ２）を、複数変化させた場合、例えば、第１ａの要素（７ａ）の高さ（ｈ１）を複数異ならせて形成した場合には、変化させた高さに対応して、第１ａの要素（７ａ）の透過率はそれぞれ異なる。よって、透過光下で視認可能な第３の潜像画像（６）は、階調を有する画像として視認される。
【００７３】
図１３（ａ）は、階調を有するすかし模様である第３の潜像画像（６’）を示す平面図である。第３の潜像画像（６’）を形成する第１ａの要素（７ａ）及び／又は第２の要素（８ａ）の透過率を複数異ならせることで、階調豊かな第３の潜像画像（６’）が形成されている。
【００７４】
図１３（ａ）は、第３の潜像画像（６’）の平面図及び拡大図である。第３の潜像画像（６’）は、第１ａの要素（７ａ）と第２の要素（８ａ）から成る。
【００７５】
図１３（ｂ）は、図１３（ａ）に示した第３の潜像画像（６’）のＢ−Ｂ’断面図である。第３の潜像画像（６’）を形成する第１ａの要素（７ａ）の高さは第１の方向（Ｘ１）に徐々に低くなることで透過率が増加し、階調を有する明るさで視認される。また、第３の潜像画像（６’）を形成する第２の要素（８ａ）は第１の方向（Ｘ１）に序々に浅くなることで透過率が低下し、階調を有する暗さで視認される。このように、複数配置された第１ａの要素（７ａ）の高さ及び第２の要素（８ａ）の深さを異ならせることで、階調を有する第３の潜像画像（６’）が形成される。
【００７６】
第３の潜像画像（６’）を形成する第１ａの要素（７ａ）及び第２の要素（８ａ）の断面形状は、図１３（ｂ）に示す断面形状に限らず、形成体（１）に複数配置された第１ａの要素（７ａ）及び第２の要素（８ａ）の透過率を異ならせることが可能であれば、前述した図７、図８、図９、図１０、図１１及び図１２に示す形状とすることが可能であり、更には前述した形状を組み合わせることで形成することも可能である。
【００７７】
なお、前述した、図９、図１０及び図１２に示した、一つの要素（７、８ａ）内において、高さ、深さ及び幅が変化している要素（７、８ａ）においては、その形状の変化に対応して一つの要素（７、８ａ）内において、透過率が異なり濃淡が生じて視認される。それにより、階調を有する第３の潜像画像（６’）を形成することが可能となる。
【００７８】
なお、第３の潜像画像（６’）を階調画像とするためには、基材（２）上における、第１の要素（７）及び第２の要素（８ａ）において、少なくとも第１ａの要素（７ａ）及び／又は第２の要素（８ａ）の透過率が異なる箇所が複数箇所必要である。透過率が異なる箇所が複数あることで、透過光下で観察した際に、一つの第３の潜像画像（６’）内において濃淡が生じ、階調を有する透過画像として視認される。
【００７９】
第３の潜像画像（６、６’）は、第１の要素（７）及び／又は第２の要素（８ａ）の幅、深さ等断面形状を一部異ならせることで形成される。それにより、形成体（１）を市場に流通される印刷物（Ｓ）に付与し、流通過程において第１の要素（７）及び／又は第２の要素（８ａ）が摩耗した場合でも、透過光下で第３の潜像画像（６、６’）の有無を観察することで、真偽判別を行うことが可能となる。また、他の効果としては、断面形状を一部異ならせることで形成していることから、同一領域内に傾けて視認可能となる潜像画像と、透過光下で視認可能となる潜像画像を形成することが可能となる。
【００８０】
以上、本実施の形態の形成体（１）は、基材（２）と透過率の異なる第１ａの要素（７ａ）及び／又は第２の要素（８ａ）を複数形成することで、透過光下において視認可能となる第３の潜像画像（６、６’）を付与することが可能となる。
【００８１】
次に、傾けて視認可能となる潜像画像を形成する、第３の要素（９）について説明する。図１４（ａ）は、基材（２）を傾けることで視認可能となる第１の潜像画像（４）を示す平面図であり、図１４（ｂ）は、図１４（ａ）に黒枠で示す領域を拡大した模式図である。なお、図１４（ｂ）において、実際は両側部（７Ｌ、７Ｒ）に第３の要素（９）が配置されているが省略している。
【００８２】
図１４（ｂ）に示すように、第１の側部（７Ｌ）に配置された第３の要素（９）は、第１の画像要素（９ａ１）及び第１の背景要素（９ｂ１）から成る。第１の画像要素（９ａ１）は、基材（２）とは異なる色の第１の色であり、第１の背景要素（９ｂ１）は、基材（２）及び第１の色とは異なる色の第２の色である。第１の画像要素（９ａ１）は、第１の色の第１の色材から成り、第１の背景要素（９ｂ１）は、第２の色の第２の色材から成る。このように、第１の潜像画像（４）を形成する第３の要素（９）は、基材（２）とは異なる第１の色及び第２の色により第１の画像要素（９ａ１）と第１の背景要素（９ｂ１）に区分けされる。
【００８３】
第１の画像要素（９ａ１）と第１の背景要素（９ｂ１）が基材（２）と同じ色である場合、基材（２）上に印刷した第３の要素（９）を、肉眼で区別して視認することができない。よって、第１の画像要素（９ａ１）及び第１の背景要素（９ｂ１）は、基材（２）と異なる色の色材で形成する。
【００８４】
本発明における異なる色とは、同じ色相で濃度が異なる色としてもよく、例えば、第１の画像要素（９ａ１）を形成する色材を淡い赤色とし、第１の背景要素（９ｂ１）を形成する色材を濃い赤色とすることも可能である。
【００８５】
なお、本発明において、後述する第２の潜像画像（５）を形成する色材についても、それぞれの色材の色が同じ色又は異なる色として視認される際の定義については、第１の画像要素（９ａ１）と第１の背景要素（９ｂ１）の色の関係と同様であることから、以下説明を省略する。
【００８６】
第１の画像要素（９ａ１）が複数配置されることで、図１４（ａ）に示す第１の潜像画像（４）における第１の模様部（４ａ）が形成される。また、第１の背景要素（９ｂ１）が複数配置されることで、図１４（ａ）に示す第１の潜像画像（４）における第１の背景部（４ｂ）が形成される。
【００８７】
次に、第２の潜像画像（５）について説明する。図１５（ａ）は、基材（２）を傾けることで視認可能となる第２の潜像画像（５）を示す平面図であり、図１５（ｂ）は、図１５（ａ）に黒枠で示す領域を拡大した模式図である。なお、図１５（ｂ）と、前述した図１４（ｂ）は、同一の第１の要素（７）の一つを拡大した模式図である。また、図１５（ｂ）において、実際は両側部（７Ｌ、７Ｒ）に第３の要素（９）が配置されているが省略している。
【００８８】
図１５（ｂ）に示すように、第２の側部（７Ｒ）に配置された第３の要素（９）は、第２の画像要素（９ａ２）及び第２の背景要素（９ｂ２）から成る。第２の画像要素（９ａ２）は、第２の色であり、第２の背景要素（９ｂ２）は、第１の色である。第２の画像要素（９ａ２）は、第２の色材から成り、第２の背景要素（９ｂ２）は、第１の色材から成る。このように、第２の潜像画像（５）を形成する第３の要素（９）は、基材（２）とは異なる第１の色及び第２の色により第２の画像要素（９ａ２）と第２の背景要素（９ｂ２）に区分けされる。
【００８９】
第２の画像要素（９ａ２）が複数配置されることで、図１５（ａ）に示す第２の潜像画像（５）における第２の模様部（５ａ）が形成される。また、第２の背景要素（９ｂ２）が複数配置されることで、図１５（ａ）に示す第２の潜像画像（５）における第２の背景部（５ｂ）が形成される。
【００９０】
次に、可視画像（３）について説明する。図１６（ａ）は、可視画像（３）を示す平面図であり、図１６（ｂ）は、図１６（ａ）に示す黒枠で領域を拡大した模式図である。なお、図１６（ｂ）と、前述した図１４（ｂ）及び図１５（ｂ）は、同一の第１の要素（７）の一つを拡大した模式図である。可視画像（３）は、第１の側部（７Ｌ）及び第２の側部（７Ｒ）に配置した全ての第３の要素（９）から成る。つまり、可視画像（３）は、第１の側部（７Ｌ）に配置した第３の要素（９）から成る第１の潜像画像（４）と、第２の側部（７Ｒ）に配置した第３の要素（９）から成る第２の潜像画像（５）の合成画像である。
【００９１】
なお、第１の要素（７）上に配置した第３の要素（９）の他の構成並びに配置については、本出願人が先に出願した特開２０１２−００６１６８号、特開２０１２−００６１６９号、特願２０１０−２６７２１９号及び特願２０１０−２６７２１９号に記載された構成及び配置とすることが可能である。したがって、ここでの説明は省略する。
【００９２】
本発明において第３の要素（９）とは、画線や、複数の点が同一方向に配置された網点群又は複数の画素が同一方向に配置された画素群のことである。図１７は、本発明における第３の要素（９）の一例を示す図である。画線とは、図１７（ａ）に示す直線、図１７（ｂ）に示す破線、図１７（ｃ）に示す波線、図１７（ｄ）に示す破線状の波線である。画線幅は、一般的に６０〜２００μｍが用いられる。網点とは、網目スクリーン、コンタクトスクリーン等により、印刷物上に構成された点である。
【００９３】
画素とは、図形、文字等の二次元画像を縦横の線で分割し、分割した最小単位のことである。網点及び画素は、直線状又は波線状に複数配置されて、画線状に構成される。画素は、図１７（ｅ）に示す円形状、図１７（ｆ）に示す楕円形状、図１７（ｇ）に示す三角形状とする。さらに画素は、図１７（ｇ）に示すように、回転させて配列しても良く、また、図１７（ｈ）に示すように文字形状としてもよい。さらに、図１７（ｉ）及び図１７（ｊ）に示すように、一つの要素内において、画線、網点又は画素の少なくとも二種類以上を組み合わせて同一方向に配置しても良い。
【００９４】
次に、前述した各画像を視認するための観察角度について説明する。図１８は、形成体（１）が付与された基材（２）を観察した際の視点（Ｅ１、Ｅ２、Ｅ３、Ｅ４）を示す図である。なお、第１の要素（７）は、基材（２）上における第１の方向（Ｘ１）に配置されている。
【００９５】
本発明においては、基材（２）に対して、視点が（Ｅ１）に示す位置関係にあるとき、第１の観察角度（Ｅ１）から観察したとし、視点が（Ｅ２）に示す位置関係にあるとき、第２の観察角度（Ｅ２）から観察したとし、視点が（Ｅ３）に示す位置関係にあるとき、第３の観察角度（Ｅ３）から観察したとし、視点が基材（２）に対して（Ｅ４）に示す位置関係であり、かつ、透過光下で観察した場合、第４の観察角度（Ｅ４）で観察したとする。
【００９６】
次に、形成体（１）を各観察角度（Ｅ１、Ｅ２、Ｅ３、Ｅ４）から観察した際の、視認原理について説明する。図１９は、形成体（１）を、第１の観察角度（Ｅ１）から観察した際の平面図及び断面図である。なお、図１９においては、前述した図７に示した複数の第２の要素（８ａ）から成る第３の潜像画像（６）が付与れているとする。よって、基材（２）に形成された第１の要素（７）は、全て同一形状の、第１ｂの要素（７ｂ）である。
【００９７】
図１９に示すように、基材（２）を第１の観察角度（Ｅ１）から観察した際には、第１の要素（７）における両側部（７Ｌ、７Ｒ）は、いずれも隣り合う第１ｂの要素（７ｂ）の影となることなく視認可能である。よって、複数の第３の要素（９）から成る可視画像（３）が視認される。
【００９８】
図２０は、形成体（１）を、第２の観察角度（Ｅ２）から観察した際の平面図及び断面図である。図２０に示すように、基材（２）を第２の観察角度（Ｅ２）から観察した際には、第１ｂの要素（７ｂ）における第１の側部（７Ｌ）は、隣り合う第１ｂの要素（７ｂ）の影となることなく視認可能である。一方、第２の側部（７Ｒ）は、隣り合う第１ｂの要素（７ｂ）の影となり視認することができない。
【００９９】
よって、基材（２）を第２の観察角度（Ｅ２）から観察した際には、第１の側部（７Ｌ）に配置された第３の要素（９）のみが視認可能となり、複数の第１の画像要素（９ａ１）から成る第１の模様部（４ａ）と、複数の第１の背景要素（９ｂ１）から成る第１の背景部（４ｂ）とで構成された第１の潜像画像（４）が視認される。なお、第１の潜像画像（４）は、第１の模様部（４ａ）は、第１の色で視認され、第１の背景部（４ｂ）は、第２の色で視認される。
【０１００】
図２１は、形成体（１）を、第３の観察角度（Ｅ３）から観察した際の平面図及び断面図である。図１２に示すように、基材（２）を第３の観察角度（Ｅ３）から観察した際には、第１ｂの要素（７ｂ）における第２の側部（７Ｒ）は、隣り合う第１ｂの要素（７ｂ）の影となることなく視認可能である。一方、第１の側部（７Ｌ）は、隣り合う第１ｂの要素（７ｂ）の影となり視認することができない。
【０１０１】
よって、基材（２）を第３の観察角度（Ｅ３）から観察した際には、第２の側部（７Ｒ）に配置された第３の要素（９）のみが視認可能となり、複数の第２の画像要素（９ａ２）から成る第２の模様部（５ａ）と、複数の第２の背景要素（９ｂ２）から成る第２の背景部（５ｂ）とで構成された第２の潜像画像（５）が視認される。なお、第２の潜像画像（５）は、第２の模様部（５ａ）は、第２の色で視認され、第２の背景部（５ｂ）は、第１の色で視認される。
【０１０２】
なお、形成体（１）には、透過画像である第３の潜像画像（６）が形成されているが、反射光下における第１の観察角度（Ｅ１）、第２の観察角度（Ｅ２）及び第３の観察角度（Ｅ３）から視認した際には、いずれも、可視画像（３）、第１の潜像画像（４）及び第２の潜像画像（５）が主体的に視認されることから、第３の潜像画像（３’）の存在は認識されない。
【０１０３】
図２２は、形成体（１）を、第４の観察角度（Ｅ４）から観察した際の平面図及び断面図である。前述のとおり、図２２における第３の潜像画像（６）は、複数の第２の要素（８ａ）により形成されている。図２２に示すように、第２の要素（８ａ）と底部（８ｂ）は、深さが異なる。よって、基材（２）を第４の観察角度（Ｅ４）から観察した際には、第２の要素（８ａ）は、基材（２）及び底部（８ｂ）より透過率が高くなり、基材（２）、第１ｂの要素（７ｂ）及び底部（８ｂ）と比べ、明るく視認される。よって、複数の第２の要素（８ａ）により形成された第３の潜像画像（６）が透過画像として視認される。
【０１０４】
なお、第１ｂの要素（７ｂ）及び底部（８ｂ）をエンボス加工により形成した場合には、第１ｂの要素（７ｂ）と底部（８ｂ）は、同じ透過率となる。よって、第４の観察角度（Ｅ４）から観察した場合には、基材（２）、第１ｂの要素（７ｂ）及び底部（８ｂ）は同じ明るさで視認され、第３の潜像画像（６）は、基材（２）、第１ｂの要素（７ｂ）及び底部（８ｂ）よりも明るく視認される。
【０１０５】
一方、第１ｂの要素（７ｂ）及び底部（８ｂ）をすき入れ又はレーザ加工により形成した場合には、第１ｂの要素（７ｂ）と底部（８ｂ）は、異なる透過率となる。よって、第４の観察角度（Ｅ４）から観察した場合には、基材（２）、第１ｂの要素（７ｂ）及び底部（８ｂ）は異なる明るさで視認される。例えば、図２２に示す形成体（１）において、第１ｂの要素（７ｂ）及び底部（８ｂ）をすき入れにより形成した場合には、底部（８ｂ）は、第１ｂの要素（７ｂ）と比べ基材（２）が薄いことから透過率が高くなる。よって、第１ｂの要素（７ｂ）が暗く視認され、底部（８ｂ）が明るく視認される。
【０１０６】
なお、説明を簡潔にするため、複数の第３の要素（９）において図示しないが、実際には第４の観察角度（Ｅ４）である透過光下で観察した場合は、前述した可視画像（３）内に第３の潜像画像（６）が視認される。
【実施例１】
【０１０７】
以下、実施例１を用いて本発明を更に具体的に説明するが、本発明を限定するものではない。実施例１として、図１に示した形成体（１）を作製した。基材（２）は、坪量８３ｇ／ｍ２、紙厚８５μｍとし、公知の抄紙機を用いて形成した。また、基材（２）の色は、不透明度を８０％（ＪＩＳ−Ｐ８１４９）にするため顔料及び添量を適宜加えて卵黄色とした。
【０１０８】
なお、実施例１においては、第３の潜像画像（６）を、第２の要素（８ａ）のみで形成した。よって、全ての第１の要素（７）は、第１ｂの要素（７ｂ）のみで形成した。
【０１０９】
第１ｂの要素（７ｂ）は、幅（Ｗ１）３００μｍ、高さ（ｈ１）５０μｍの直線状であり、第１のピッチ（Ｐ１）を５００μｍとして形成した。
【０１１０】
第２の要素（８ａ）及び底部（８ｂ）の幅（Ｗ２）は、いずれも２００μｍの直線状とした。また、第２の要素（８ａ）の厚さは２０μｍ（デジタルリニアゲージ  ＤＧ−９２５  小野測器製）とし、底部（８ｂ）の厚さは４０μｍ（デジタルリニアゲージ  ＤＧ−９２５  小野測器製）とした。
【０１１１】
第２の要素（８ａ）は、不透明度が６０％（ＪＩＳ−Ｐ８１４９）であり、基材（２）、第１ｂの要素（７ｂ）及び底部（８ｂ）と比べ、透過率を高く形成した。
【０１１２】
第１ｂの要素（７ｂ）、第２の要素（８ａ）及び底部（８ｂ）は、公知の長網抄紙機を用いて基材（２）を製造する工程において、公知のすき入れ方法により、形成した。
【０１１３】
第３の要素（９）は、図１４（ｂ）及び図１４（ｂ）に示した１３０μｍの一定幅の画線として形成した。また、第１の画像要素（９ａ１）及び第２の背景要素（９ｂ２）は、オフセットインキ（Ｔ＆Ｋ  ＴＯＫＡ製  ベストキュア  藍）を用いて印刷し、第１の背景要素（９ｂ１）及び第２の画像要素（９ａ２）は、オフセットインキ（Ｔ＆Ｋ  ＴＯＫＡ製  ベストキュア  紅）を用いて印刷した。なお、第３の要素（９）は、オフセット印刷機（下垣鉄工所製  ＥＰ―６０）により第１ｂの要素（７ｂ）上に印刷することで形成した。
【０１１４】
実施例１にて作製した形成体（１）を、第１の観察角度（Ｅ１）から肉眼で観察したところ、可視画像（３）が視認できた。次に、形成体（１）を、第２の観察角度（Ｅ２）から観察したところ、第１の潜像画像（４）における、第１の模様部（４ａ）がシアン色で視認でき、第１の背景部（４ｂ）がマゼンタ色で視認できた。次に、形成体（１）を第３の観察角度（Ｅ３）から観察したところ、第２の潜像画像（５）における第２の模様部（５ａ）が、マゼンタ色で視認でき、第２の背景部（５ｂ）がシアン色で視認できた。さらに、形成体（１）を、第４の観察角度（Ｅ４）である透過光下で観察したところ、「ＮＰＢ」の文字形状の第３の潜像画像（６）が透過画像として視認できた。
【符号の説明】
【０１１５】
１          特殊潜像画像形成体
２          基材
３          可視画像
４          第１の潜像画像
４ａ          第１の模様部
４ｂ          第１の背景部
５          第２の潜像画像
５ａ          第２の模様部
５ｂ          第２の背景部
６、６’          第３の潜像画像
７          第１の要素
７ａ          第１ａの要素
７ｂ          第１ｂの要素
７Ｌ          第１の側部
７Ｒ          第２の側部
７Ｔ          頂上部
８ａ          第２の要素
８ｂ          底部
９          第３の要素（印刷万線）
９ａ１          第１の画像要素
９ｂ１          第１の背景要素
９ａ２          第２の画像要素
９ｂ２          第２の背景要素
Ｓ          偽造防止印刷物
Ｚ          潜像画像形成領域
Ｅ１          第１の観察角度
Ｅ２          第２の観察角度
Ｅ３          第３の観察角度
Ｅ４          第４の観察角度
ｈ１、ｈ２          高さ
Ｗ１、Ｗ２          幅
【図１】
0005835713.tif 000002
【図２】
0005835713.tif 000003
【図３】
0005835713.tif 000004
【図４】
0005835713.tif 000005
【図５】
0005835713.tif 000006
【図６】
0005835713.tif 000007
【図７】
0005835713.tif 000008
【図８】
0005835713.tif 000009
【図９】
0005835713.tif 000010
【図１０】
0005835713.tif 000011
【図１１】
0005835713.tif 000012
【図１２】
0005835713.tif 000013
【図１３】
0005835713.tif 000014
【図１４】
0005835713.tif 000015
【図１５】
0005835713.tif 000016
【図１６】
0005835713.tif 000017
【図１７】
0005835713.tif 000018
【図１８】
0005835713.tif 000019
【図１９】
0005835713.tif 000020
【図２０】
0005835713.tif 000021
【図２１】
0005835713.tif 000022
【図２２】
0005835713.tif 000023